(57)【特許請求の範囲】
【請求項１】
夫々の支点部において相対的に往復回動することによって両者の開口規制端縁により円形をした露光開口の開閉を行う２枚のシャッタ羽根と、前記２枚のシャッタ羽根の両方の長孔に嵌合した一つのピンを有していて駆動源によって作動させられたとき該ピンを前記二つの支点部を結ぶ線分と略直交する方向に往復作動させる駆動手段と、前記露光開口を全開する前に前記２枚のシャッタ羽根を少なくとも一つの開口位置で停止させる開口規制部材とを備えていて、前記開口位置における開口形状は、前記ピンを中心にして前記二つの開口規制端縁の一部によって形成される同心円の円弧と、それらの円弧の両端を結ぶ複数の線分によって形成されているようにしたことを特徴とするカメラ用シャッタ。
【請求項２】
共軸上にある支点部において相対的に往復回動することによって両者の開口規制端縁により円形をした露光開口の開閉を行う２枚のシャッタ羽根と、前記２枚のシャッタ羽根の夫々の長孔に嵌合した二つのピンを有していて駆動源によって作動させられたとき該二つのピンを往復作動させる駆動手段と、前記露光開口を全開する前に前記２枚のシャッタ羽根を少なくとも一つの開口位置で停止させる開口規制部材とを備えていて、前記開口位置における開口形状は、前記支点部を中心にして前記二つの開口規制端縁の一部によって形成される同心円の円弧と、それらの円弧の両端を結ぶ複数の線分によって形成されているようにしたことを特徴とするカメラ用シャッタ。
【請求項３】
前記駆動源がモータであって、前記駆動手段がそのモータの回転子と一体的に構成されていることを特徴とする請求項１又は２に記載のカメラ用シャッタ。
【発明の詳細な説明】
【０００１】
【発明の属する技術分野】
本発明は、一般に、レンズシャッタと言われているカメラ用シャッタに関する。
【０００２】
【従来の技術】
この種のシャッタは、円形をした露光開口がレンズの近接位置に配置されていて、通常の場合、露光作動に際しては、複数のシャッタ羽根が、露光開口を、その中心から開いて行くようにしたものである。そして、その作動中においては、複数のシャッタ羽根の開口規制端縁により、円形に近い開口形状を保てるようにするのが理想とされている。そのため、古くは、３枚以上のシャッタ羽根を露光開口の周辺位置に等間隔に配置し、それらを、駆動リングと称されていた駆動部材によって往復作動させ、露光開口を開閉させるようにしていた。
【０００３】
しかしながら、最近においては、そのような駆動リングを備えたシャッタは、負荷が大きくて高速化が難しいことと、低コスト化が困難であることから、殆ど採用されなくなり、それに代わって、２枚のシャッタ羽根を相対的に作動させるようにしたシャッタが全盛となっている。そして、そのようなシャッタとしては、露光開口の開閉作動に際して、２枚のシャッタ羽根を、相反する方向へ直線的に往復作動させるタイプのものと、相反する方向へ往復回転させるようにしたタイプのものと、言わば相反する方向へ揺動させるタイプのもの（例えば、特開昭５７−４２０２５号公報）とが知られている。
【０００４】
また、従来のレンズシャッタにおいては、シャッタ羽根は、完全に露光開口を全開にしてから、閉じ作動を行うようになっていて、被写界光が強い場合には、絞り羽根を操作して絞り口径を小さく設定するようにしていた。しかしながら、最近のように高感度フィルムが使用されるようになると、そのようにした場合でも自ずから限度があることから、カメラに絞り羽根が設けられているか否かに関係なく、シャッタ羽根が全開状態に達する前に、閉じ作動を行えるようにしたシャッタが多くなってきた。
【０００５】
そして、そのようなシャッタの中には、シャッタ羽根が開き作動の途中から直ちに閉じ作動を開始してしまうタイプのものと、シャッタ羽根が、開き作動において所定の開口位置に達すると、原則として停止され、所定の時間経過後に閉じ作動を開始されるようにしたタイプのものがある。前記した特開昭５７−４２０２５号公報に記載のシャッタは前者のタイプに属している。また、後者のタイプのシャッタは、シャッタ羽根の開き作動を所定の開口位置で停止させ得るようにするために、ストッパ機能を有する開口規制部材を設けていて、それを、シャッタ羽根又はその駆動手段の作動軌跡内に臨ませ得るようにしているのが普通である。
【０００６】
本発明は、露光作動に際して、２枚のシャッタ羽根を相反する方向へ往復回転させるようにしたタイプのシャッタであって、且つ開口規制部材を設けることによって、シャッタ羽根が、所定の開口位置で開き作動を停止し、その位置から閉じ作動を行えるようにしたタイプのシャッタに関するものである。
【０００７】
【発明が解決しようとする課題】
ところで、本発明で対象としている上記のタイプのシャッタにおいては、シャッタ羽根の開き作動が所定の開口位置で停止するとき、シャッタ羽根又はその駆動手段が開口規制部材に当接するため、シャッタ羽根にバウンド現象が生じ、シャッタ羽根の開口規制端縁が、シャッタ羽根の作動方向に対して細かく振動する。そのことを、図７を用いて分かり易く説明する。尚、図７に示したシャッタ羽根の形状は、後述する本発明の実施例のシャッタ羽根とは異なっているが、便宜上、図７においても、本発明の実施例で使用している符号を用いている。
【０００８】
図７においては、図示していない駆動ピンが、シャッタ羽根１７，１８の長孔１７ａ，１８ａに嵌合しており、その駆動ピンが、シャッタ地板に形成されている開口部１ａ（露光開口）の方へ作動すると、シャッタ羽根１７，１８が開き作動を行い、その後、駆動ピンが逆方向へ作動すると、シャッタ羽根１７，１８が閉じ作動を行うようになっている。そして、図７は、シャッタ羽根１７，１８の開き作動において、シャッタ羽根１７の当接部１７ｃが、図示していない開口規制部材の一部に当接し、その開き作動が停止した状態を示している。
【０００９】
このとき、シャッタ羽根１７，１８によって形成される開口形状は、既に説明したように、出来るだけ円形に近いことが理想であるが、シャッタ羽根が２枚構成であることと、出来るだけ小型化しなければならないということから、通常は、不本意ながら図７に示されたような形状になっている。そのため、シャッタ羽根１７が開口規制部材に当接したとき、シャッタ羽根７が閉じ方向へバウンドすると、それに伴って、シャッタ羽根１８も、駆動ピンを介して閉じ方向へ動かされ、開口形状を、二点鎖線で示したような形状にしてしまう。その後、シャッタ羽根１７，１８は、バウンドを繰り返すごとに振幅を小さくし、静止する。
【００１０】
このように、従来のシャッタにおいては、バウンドしたとき、シャッタ羽根１７，１８の開口規制縁が、所定の開口形状を規制すべき位置から、その開口の全周にわたって、開口面積を小さくする方向に振動するので、その分、露光量の精度を大きく落してしまうという問題点がある。それでなくても、製作上、シャッタには個体差が生じてしまい、開口面積の精度を出すのに苦労しているのが現状であるため、このようなバウンド現象によって生じる露光精度の低下についても、少しでも改善できる方法の出現が望まれている。
【００１１】
本発明は、このような問題点を解決するためになされたものであり、その目的とするところは、２枚のシャッタ羽根の開口規制縁の形状を工夫することによって、シャッタ羽根が所定の開口位置でバウンドしても、露光精度に与える影響が少なくて済むようにしたカメラ用シャッタを提供することである。
【００１２】
【課題を解決するための手段】
上記の目的を達成するために、本発明のカメラ用シャッタは、夫々の支点部において相対的に往復回動することによって両者の開口規制端縁により円形をした露光開口の開閉を行う２枚のシャッタ羽根と、前記２枚のシャッタ羽根の両方の長孔に嵌合した一つのピンを有していて駆動源によって作動させられたとき該ピンを前記二つの支点部を結ぶ線分と略直交する方向に往復作動させる駆動手段と、前記露光開口を全開する前に前記２枚のシャッタ羽根を少なくとも一つの開口位置で停止させる開口規制部材とを備えていて、前記開口位置における開口形状は、前記ピンを中心にして前記二つの開口規制端縁の一部によって形成される同心円の円弧と、それらの円弧の両端を結ぶ複数の線分によって形成されているようにする。
また、上記の目的を達成するために、本発明のカメラ用シャッタは、共軸上にある支点部において相対的に往復回動することによって両者の開口規制端縁により円形をした露光開口の開閉を行う２枚のシャッタ羽根と、前記２枚のシャッタ羽根の夫々の長孔に嵌合した二つのピンを有していて駆動源によって作動させられたとき該二つのピンを往復作動させる駆動手段と、前記露光開口を全開する前に前記２枚のシャッタ羽根を少なくとも一つの開口位置で停止させる開口規制部材とを備えていて、前記開口位置における開口形状は、前記支点部を中心にして前記二つの開口規制端縁の一部によって形成される同心円の円弧と、それらの円弧の両端を結ぶ複数の線分によって形成されているようにする。
更に、上記の各カメラ用シャッタにおいては、前記駆動源がモータであって、前記駆動手段がそのモータの回転子と一体的に構成されているようにすることが好ましい。
【００１３】
【発明の実施の形態】
本発明の実施の形態を、図１〜図５に示した実施例によって詳しく説明する。また、他の実施例を図６を用いて説明する。尚、図１はシャッタ閉鎖状態を被写界側から透視的に視た平面図であり、図２は図１の要部断面図である。また、図３〜図５も被写界側から透視的に視た平面図であり、図３はシャッタ全開状態を示しており、図４はシャッタ羽根が中口径規制位置に開いた状態を示しており図５はシャッタ羽根が小口径規制位置に開いた状態を示している。更に、図６は他の実施例を説明するための図であって、シャッタ羽根が小口径規制位置に開いた状態を示している。
【００１４】
先ず、図１〜図５に示されている実施例の構成を、主に図１及び図２を用いて説明する。シャッタ地板１は合成樹脂製であって、その中央部には、被写界光を通過させるための円形をした開口部１ａが形成されている。また、取り付け構成については図示を省略しているが、シャッタ地板１には、合成樹脂製の補助地板２が取り付けられている。この補助地板２は、全体形状が明示されていないが、シャッタ地板１と略同じ平面形状をしていて、シャッタ地板１との間に羽根室を形成している。また、この補助地板２の中央部には開口部１ａと同様な開口部を有しているが、シャッタとしての露光開口は、開口部１ａによって規制されている。そして、本実施例のシャッタがカメラ本体に取り付けられたときには、シャッタ地板１が被写界側となり、補助地板２がフィルム側となる。
【００１５】
シャッタ地板１の被写界側には、ムービングマグネット型モータと称されているモータが取り付けられている。このモータは、シャッタ羽根の駆動源に用いられるモータとしては周知であり、通電方向に応じて、正・逆方向へ所定の角度だけ回転するようになっている。そして、シャッタ地板１に対する取り付けは、二つのビス３，４が、合成樹脂製の下枠５をねじ止めすることによって行われている。また、上枠６は合成樹脂製であって、図２から分かるように、植木鉢を伏せたような形状をしており、二つのフック部６ａ，６ｂによって下枠５に止められている。そして、その外周壁の一部に、断面が円形をした棒状の磁性体部材７を埋設している。
【００１６】
上枠６の内部には、回転子８が収容されている。この回転子８は２極に着磁された永久磁石製であるが、回転軸は合成樹脂製であって、下枠５と上枠６によって軸受けされている。また、その回転軸と一体に成形された出力部９には、出力ピン９ａが形成されている。更に、下枠５と上枠６には、回転軸の軸受部を包むようにしてコイル１０が巻回されており、その外側から、円筒状のヨーク１１が上枠６に嵌合させられている。
【００１７】
シャッタ地板１と下枠５の間には、開閉部材１２が配置されている。この開閉部材１２は、筒部１２ａを、シャッタ地板１の軸部１ｂに回転可能に嵌合させている。また、その筒部１２ａには、ばね１３が巻回されており、図１に示すように、その一端をシャッタ地板１のばね掛け部１ｃに掛け、他端を開閉部材１２のばね掛け部１２ｂに掛けている。従って、図１において、このばね１３は、開閉部材１２を時計方向へ回転させるように付勢しており、開閉部材１２の腕部１２ｃを出力ピン９ａに接触させるようにしている。また、開閉部材１２に設けられた駆動ピン１２ｄは、シャッタ地板１の長孔１ｄを貫通して、先端を羽根室内に挿入させている。
【００１８】
開口規制部材１４は、その筒部１４ａを、シャッタ地板１の軸部１ｅに回転可能に嵌合させている。また、その筒部１４ａには、ばね１５が巻回されており、図１に示すように、その一端をシャッタ地板１のばね掛け部１ｆに掛け、他端を開口規制部材１４のばね掛け部１４ｂに掛けている。従って、図１において、このばね１５は、開口規制部材１４を時計方向へ回転させるように付勢している。更に、開口規制部材１４には、操作部材１６に押される被押動部１４ｃと、シャッタ地板１のストッパ１ｇに当接する腕部１４ｄと、規制ピン１４ｅとが設けられており、規制ピン１４ｅは、シャッタ地板１に形成された一端を開いている形状の長孔１ｈを貫通して、先端を羽根室内に挿入させている。
【００１９】
羽根室内には、２枚のシャッタ羽根１７，１８が配置されているが、図２においては図示が省略されている。このシャッタ羽根１７，１８は、夫々、シャッタ地板１に設けられた軸部１ｉ，１ｊに枢着されており、それらの長孔１７ａ，１８ａには、上記した開閉部材１２の駆動ピン１２ｄが嵌合している。また、シャッタ羽根１７には、シャッタ地板１のストッパ１ｋに当接する当接部１７ｂが形成され、また、上記した開口規制部材の規制ピン１４ｅとシャッタ地板１のストッパ１ｍに当接する当接部１７ｃが形成されている。更に、シャッタ羽根１７，１８に形成されている開口規制端縁の形状は、図７に示した形状とは明かに異なっていて、夫々ステップ状になっている。
【００２０】
次に、図１及び図２のほかに図３〜図５も加え、本実施例の作動とその効果について説明する。図１はシャッタ閉鎖状態を示している。そのため、モータのコイル１０には通電されていない。しかし、回転子８のＮ極と磁性体部材７との間に作用している磁力により、回転子８には時計方向へ回転する力が付与されている。また、開閉部材１２は、ばね１３によって時計方向へ付勢されているが、その付勢力よりも回転子８に作用している回転力の方が大きいため、ばね１３の付勢力に抗して反時計方向へ回転され、駆動ピン１２ｄによって、シャッタ羽根１７を反時計方向へ、またシャッタ羽根１８を時計方向へ回転させ、シャッタ羽根１７の当接部１７ｂをストッパ１ｋに接触させることによって、この状態が維持されている。
【００２１】
他方、操作部材１６は、ズームレンズと連動しているが、本実施例におけるズーム方式は、所謂ステップズーム方式と称されているものであって、ズームレンズは、近接位置，中間位置，望遠位置の３段階の位置を占め得るようになっている。図１に示された状態は、シャッタ閉鎖状態であって、且つカメラの不使用状態でもあるため、ズームレンズは近接位置にあり、操作部材１６は開口規制部材１４の被押動部１４ｃには接触していない。そのため、開口規制部材１４は、ばね１５によって時計方向へ回転され、腕部１４ｄをストッパ１ｇに接触させている。尚、本実施例においては、操作部材１６を、ズーム機構と連動させているが、ゾーンフォーカス式の焦点調節機構と連動させるようにしても構わない。
【００２２】
撮影に先立ってズームレンズが操作されるが、先ず、近接位置に設定された場合について説明する。上記したように、近接位置に設定された状態は図１に示した状態である。この状態においてシャッタがレリーズされると、ムービングマグネット型モータのコイル１０に、順方向への通電が行われる。そのため、回転子８は、図１の状態から反時計方向へ回転され、また、それによって、開閉部材１２が、ばね１３に付勢されて時計方向へ回転する。その結果、シャッタ羽根１７，１８は、軸１ｉ，１ｊで相反する方向へ相対的に回転し、開口部１ａを、その中心から開いていく。そして、このようにして行われるシャッタ羽根１７，１８の開き作動は、開口部１ａを全開させた後、シャッタ羽根１７の当接部１７ｃがストッパ１ｍに当接することによって停止する。
【００２３】
シャッタ羽根１７は、その当接部１７ｃがストッパ１ｍに当接したとき、その衝撃でバウンドし、しかも、そのバウンドが、駆動ピン１２ｄを介してシャッタ羽根１８にも伝えられるから、シャッタ羽根１７，１８は共に振動することになるが、それらの開口規制端縁と開口部１ａの縁との間には所定の間隔が設けられているので、シャッタ羽根１７，１８によって、開口部１ａの一部を一時的に覆ってしまうようなことはない。また、このとき、シャッタ羽根１７，１８の長孔１７ａ，１８ａと開閉部材１２の駆動ピン１２ｄとの嵌合関係によって、開閉部材１２の回転も停止するが、回転子８は、その後も僅かに回転され、図示していないストッパに当接することによって停止する。そのときの状態が図３に示されている。
【００２４】
その後、所定の時間が経過すると、露光時間制御回路からの出力信号によって、ムービングマグネット型モータのコイル１０に、それまでとは逆方向への通電が行われる。そのため、回転子８は、図３の状態から時計方向へ回転され、その直後に、開閉部材１２の腕部１２ｃを押し、ばね１３の付勢力に抗して開閉部材１２を反時計方向へ回転させる。従って、開閉部材１２は、駆動ピン１２ｄによって、シャッタ羽根１７，１８を相反する方向へ相対的に回転させ、閉じ作動を行わせる。そして、この閉じ作動は、シャッタ羽根１７，１８が開口部１ａを閉じた後、シャッタ羽根１７の当接部１７ｂがストッパ１ｋに当接することによって終了する。その後、コイル１０に対する通電が断たれるが、その場合でも図１の状態が確実に維持されることは、上記した通りである。
【００２５】
次に、中間位置で撮影する場合と、望遠位置で撮影する場合について、順に説明する。先ず、中間位置で撮影する場合について説明するが、上記の作動説明と重複するところについては、簡単に説明するか、省略することにする。撮影に先立ってズームレンズを中間位置に設定すると、操作部材１６が図１の状態から上方へ移動して被押動部１４ｃを押し、開口規制部材１４を、ばね１５の付勢力に抗して、所定の角度だけ反時計方向へ回転させる。その結果、開口規制部材１４の規制ピン１４ｅは、長孔１ｈ内を移動し、図４に示された位置を占めることになる。
【００２６】
その後、シャッタがレリーズされると、ムービングマグネット型モータのコイル１０に、順方向への通電が行われ、回転子８が、図１の状態から反時計方向へ回転される。そのため、開閉部材１２が、ばね１３の付勢力によって時計方向へ回転し、シャッタ羽根１７，１８に開き作動を行わせる。そして、このようなシャッタ羽根１７，１８の開き作動は、シャッタ羽根１７の当接部１７ｃが、開口規制部材１４の規制ピン１４ｅに当接することによって停止する。このとき、シャッタ羽根１７がバウンドすることによって、シャッタ羽根１７，１８が共に振動し、図４に示した状態で停止することになるが、図４には、その最大振幅が二点鎖線で示されている。
【００２７】
この図４から分かるように、この状態における開口形状は、線分Ａ〜Ｌで形成されている。そして、このうち、線分Ｄ，Ｊは開口部１ａの縁である。また、線分Ａ，Ｃ，Ｅ，Ｇ，Ｉ，Ｋは、駆動ピン１２ｄを中心にした円弧状をしていて、線分ＣとＫは同一半径の円弧であり、線分ＥとＩも同一半径の円弧である。従って、線分Ａ，Ｃ（Ｋ），Ｅ（Ｉ），Ｇは同心関係になっている。ところで、このような開口形状のときに上記のような振動が生じるので、開口形状は、実質的に振動方向、即ちシャッタ羽根１７，１８の作動方向のみにしか変化しない。従って、形状の上では開口面積の変化量が最小限となるようになっている。その後、所定の時間が経過すると、コイル１０に逆方向への通電が行われ、上記したようにしてシャッタ羽根１７，１８が閉じ作動を行い、図１の状態に復帰する。
【００２８】
次に、撮影に先立ってズームレンズを望遠位置に設定した場合には、操作部材１６が図４の状態よりも更に上方へ移動し、開口規制部材１４の規制ピン１４ｅを、図５に示した位置に移動させる。その後、シャッタがレリーズされると、コイル１０に対して順方向への通電が行われ、開閉部材１２が、ばね１３の付勢力によって時計方向へ回転し、シャッタ羽根１７，１８に開き作動を行わせる。そして、この開き作動は、シャッタ羽根１７の当接部１７ｃが、開口規制部材１４の規制ピン１４ｅに当接することによって停止する。このとき、上記のようにして、シャッタ羽根１７，１８が共に振動し、図５に示した状態で停止することになるが、図５には、そのときの最大振幅を二点鎖線で示している。
【００２９】
図５から分かるように、この状態における開口形状は、線分Ａ〜Ｆで形成されている。そして、線分Ａ，Ｄは、駆動ピン１２ｄを中心にした円弧状をしていて、同心関係になっている。そのため、開口形状は、実質的にはシャッタ羽根１７，１８の作動方向のみにしか変化しない。従って、開口面積の変化量が最小限となる。即ち、図５の開口面積は、図７の開口面積と略同じになるように作図され、しかも、両方の図面における二点鎖線は、シャッタ羽根１７，１８の最大振幅が略同じになるように作図されたものであるが、明らかに両者は、開口面積の変化量に違いがある。この状態において、所定の時間が経過した後、コイル１０に逆方向への通電が行われ、上記したようにしてシャッタ羽根１７，１８が閉じ作動を行い、図１の状態に復帰する。
【００３０】
尚、上記の実施例においては、三つの開口形状を選択する場合で説明したが、二つの開口形状を選択するようにしても差し支えない。また、上記の実施例においては、シャッタ羽根１７，１８の支点部に設けられた孔を、シャッタ地板１の軸１ｉ，１ｊに嵌合させているが、周知の構成のように、シャッタ羽根１７，１８に設けた軸を、シャッタ地板１に設けられた孔に嵌合させるようにしても差し支えない。また、上記の実施例においては、所定の開口位置で、シャッタ羽根１７を規制ピン１４ｅに当接させているが、部材の形状や配置構成を変えることによって、開閉部材１２を当接させるようにしても構わない。更に、上記の実施例においては、シャッタ羽根１７，１８の開き作動の駆動源をばね１３にし、閉じ作動の駆動源をモータ即ち回転子８にしているが、ばね１３を設けることなく、モータのみによって開閉部材１２を往復作動させ、シャッタ羽根１７，１８に開閉作動を行わせるようにしても構わない。
【００３１】
また、上記の実施例においては、開閉部材１２の駆動ピン１２ｄを、シャッタ羽根１７，１８の長孔１７ａ，１８ａに嵌合させているが、出力ピン９ａを、それらの長孔１７ａ，１８ａに直接嵌合させ、開閉部材１２を省くようにしても差し支えない。但し、そのようにした場合には、当然のことながら、シャッタ羽根１７，１８に開き作動は、回転子８の時計方向への回転で行わせるようにする必要がある。そして、その場合には、本発明における駆動手段は、開閉部材１２ではなく、出力部９ということになる。更に、上記の実施例においては、駆動源として、ムービングマグネット型モータを採用しているが、ステッピングモータであっても差し支えないし、また、ばねのみを駆動源としても差し支えない。
【００３２】
次に、シャッタ羽根のみを図６に示したもう一つの実施例について説明する。この実施例は、シャッタ羽根の枢着構成が上記の実施例と異なっているだけであり、その他の構成については殆ど同じであることから、上記の実施例の符号を援用し、異なる点についてのみ説明することにする。
【００３３】
本実施例のシャッタ羽根１７，１８は、いずれもシャッタ地板１に設けられた軸部１ｎに枢着されている。従って、本実施例においては、シャッタ羽根１７，１８の支点部が共通の軸上にあることになる。また、図示していないが、上記した開閉部材１２には二つの駆動ピンが設けられていて、それらを長孔１７ａ，１８ａに別々に嵌合させている。そして、この場合には、出力ピン９ａと開閉部材１２との接触関係は上記の場合と逆になっていて、ばね１３の付勢方向も逆になっている。更に、シャッタ閉鎖状態においては、回転子８は図３の状態にあり、磁性体部材７も、この状態を維持する位置に配置されている。即ち、シャッタ閉鎖状態におけるモータと、開閉部材１２と、ばね１３の配置構成は、図１において、回転子８の回転軸と軸１ｂとを結んだ線を軸にして、１８０°回転させたような構成になっている。
【００３４】
そして、シャッタ羽根１７，１８に開き作動を行わせる場合には、回転子８を、図３に示した配置位置から時計方向へ回転させ、それに追従して開閉部材１２を反時計方向へ回転させるようにする。その結果、シャッタ羽根１７は一方の駆動ピンによって時計方向ヘ回転され、シャッタ羽根１８は他方の駆動ピンによって反時計方向ヘ回転されることになる。そして、図６は、シャッタ羽根１７，１８によって形成される開口形状が、図５と同じになったときの状態を示している。そして、本実施例の場合には、開口を形成している線分Ａ，Ｄが、シャッタ羽根１７，１８の支点部を中心にした円弧となっている。従って、上記の実施例において説明した効果が、本実施例においても、同様にして得られることになる。尚、シャッタ羽根１７，１８の閉じ作動は、回転子８を逆転させることによって行われることは言うまでもない。
【００３５】
【発明の効果】
上記のように、本発明によれば、所定の開口位置における開口形状が、２枚のシャッタ羽根の開口規制端縁の一部によって形成される円弧状をした平行な複数の線分と、それらの線分を結ぶ線分とによって形成されるようにしたから、シャッタ羽根の開き作動が、開口規制部材に当接して停止されるに際し、バウンドし振動しても、開口面積に及ぼす影響を小さくし、適正露光量が得易くなるという特徴を有している。
【図面の簡単な説明】
【図１】実施例を被写界側から透視的に視た平面図であって、シャッタ閉鎖状態を示している。
【図２】図１の要部断面図である。
【図３】実施例を被写界側から透視的に視た平面図であって、シャッタ全開状態を示している。
【図４】実施例を被写界側から透視的に視た平面図であって、シャッタ羽根が中口径規制位置に開いた状態を示している。
【図５】実施例を被写界側から透視的に視た平面図であって、シャッタ羽根が小口径規制位置に開いた状態を示している。
【図６】他の実施例を説明するための図であって、小口径規制位置におけるシャッタ羽根のみを示したものである。
【図７】従来例を説明するための図であって、小口径規制位置におけるシャッタ羽根のみを示したものである。
【符号の説明】
１                            シャッタ地板
１ａ                          開口部
１ｂ，１ｅ，１ｉ，１ｊ，１ｎ  軸部
１ｃ，１ｆ，１２ｂ，１４ｂ    ばね掛け部
１ｄ，１ｈ，１７ａ，１８ａ    長孔
１ｇ，１ｋ，１ｍ              ストッパ
２                            補助地板
３，４                        ビス
５                            下枠
６                            上枠
６ａ，６ｂ                    フック部
７                            磁性体部材
８                            回転子
９                            出力部
９ａ                          出力ピン
１０                          コイル
１１                          ヨーク
１２                          開閉部材
１２ａ，１４ａ                筒部
１２ｃ，１４ｄ                腕部
１２ｄ                        駆動ピン
１３，１５                    ばね
１４                          開口規制部材
１４ｃ                        被押動部
１４ｅ                        規制ピン
１６                          操作部材
１７，１８                    シャッタ羽根
１７ｂ，１７ｃ                当接部
【図１】
0003992372.tif 000002
【図２】
0003992372.tif 000003
【図３】
0003992372.tif 000004
【図４】
0003992372.tif 000005
【図５】
0003992372.tif 000006
【図６】
0003992372.tif 000007
【図７】
0003992372.tif 000008